(57)【要約】      （修正有）【課題】個人の存在の記録を半永久的に保存することができるとともに、好きな場所や思い入れのある場所に簡単に埋蔵することができる物品保存容器を提供する。【解決手段】物品保存容器１００は、あらゆる天災地変に耐え、経年劣化のない耐久性および強度が高い材質からなる携帯可能な箱体１０と、箱体１０の内部に形成されかつ箱体１０の側面に開口し、個人の生体組織体および所有物を収納可能なポケット１４、２４と、ポケット１４、２４の開口部２０、３０を封鎖するボルトとを備える。【選択図】図２
0003157577.tif 000002
【実用新案登録請求の範囲】
【請求項１】
個人の存在の記録に係る物品を保存する物品保存容器であって、
あらゆる天災地変に耐え、経年劣化のない耐久性および強度が高い材質からなる携帯可能な箱体と、
前記箱体の内部に形成されかつ前記箱体の表面に開口する、前記物品を収納可能なポケットと、
前記ポケットの開口部を封鎖する封鎖手段とを備えることを特徴とする物品保存容器。
【請求項２】
請求項１において、
前記箱体は、耐蝕合金からなることを特徴とする物品保存容器。
【請求項３】
請求項１および２のいずれか１項において、
さらに、前記箱体の内部に形成されかつ前記箱体の表面に開口する第２ポケットを備え、
前記第２ポケットは、個人データを記録した記録物を収納可能となっていることを特徴とする物品保存容器。
【考案の詳細な説明】
【技術分野】
【０００１】
本考案は、個人の生体組織体や思い出の品等の物品を保存する容器に係り、特に、個人の存在の記録を半永久的に保存することができるとともに、好きな場所や思い入れのある場所に簡単に埋蔵することができる物品保存容器に関する。
【背景技術】
【０００２】
従来、個人の生体組織体や思い出の品等の物品を保存する技術としては、例えば、特許文献１〜５記載の技術が知られている。
【０００３】
特許文献１記載の技術は、ＩＤネームタグプレートに、着用者自身のＤＮＡ（DeoxyriboNucleic Acid）を鑑定できる組織体を保存する密閉式の収納部を設けてあるとともに、着用者の国籍、氏名等の個人データを彫刻できるスペースを設けてあるものである。
【０００４】
特許文献２記載の技術は、人の細胞から採取したＤＮＡを長期保存に耐える形とし、本人がペンダントなどに収納して保管するものである。
【０００５】
特許文献３記載の技術は、骨壺を収納し得るサイズの高剛性の円筒形状容器部材と、その適合平面底部材とからなる耐腐蝕性、高強度金属材料製の容器であって、前記両部材間に骨壺を収納したのち、これら両部材の全周を機械的密封結合手段により完全密封するよう構成した半永久保存用遺骨容器である。
【０００６】
特許文献４記載の技術は、金属材料で構成された箱体と、同質の金属材料で構成された蓋体と、箱体に収納される小型の収納容器とで構成された簡易型納骨容器である。
【０００７】
特許文献５記載の技術は、故人が生存していたことを証明できる物証を識別可能状態で収納した物証収納容器と、故人の生涯情報を記録した記録媒体と、物証収納容器と記録媒体とを劣化防止ガスとともに密閉収納する箱とを備えたお墓である。
【先行技術文献】
【特許文献】
【０００８】
【特許文献１】登録実用新案第３０２６０２１号公報
【特許文献２】特開２００１−１１４６０１号公報
【特許文献３】特開平９−１７３３９７号公報
【特許文献４】特開２００５−１６８５２２号公報
【特許文献５】特開２００２−４６４１号公報
【考案の概要】
【考案が解決しようとする課題】
【０００９】
ところで、古代より、文化・文明の進歩とともに人々は自らの存在をアピールする願望を持ち始めている。この願望（意識）は、権力者から、豊かになった庶民、大衆へ時代とともに墓石というようなかたちで広がっていった。
【００１０】
生命という概念が科学的に理解できなかった時代は、「輪廻転生」という考え方に象徴されるロジックで世界的に解説されてきたが、あまりにも現実的ではないので、現代でも納得している人は、文明国ではほとんどいないだろう。
【００１１】
人も動物である。生殖で子孫を残していた場合、オリジナルと同一でなくてもＤＮＡの一部は脈々と受け継がれているとも言えるが、一般的な個人の存在の記録は、特殊な例（歴史的に保護されている希な人）以外は２００年〜３００年で消滅してしまう。
【００１２】
人間の記録（存在の証）を永久的に残すことは、個人の意識にも変化をもたらす。数十年前までは宗教心や人間の付き合いが個々の倫理観の支えになっていたが、現代では多くの場合、それらの支えが消滅していると言える。
【００１３】
これは、叡智による科学の進歩であり、人類の意識の進化の結果であるので否定できない。いま、これらの進化に対応して、新しい意識のニーズに応えることが求められている。
【００１４】
しかしながら、特許文献１、２記載の技術にあっては、ＩＤネームタグプレートやペンダントにＤＮＡを収納するだけのものであるため、天災地変等で破壊されたり、経年劣化したりすることにより、個人の存在の記録を長期間保存することが困難であるという問題があった。
【００１５】
また、特許文献３〜５記載の技術にあっては、長期間保存を可能とするものの、骨壺やお墓といったように一定の場所に設置するものであるため、例えば、エベレスト山の頂上だとか世界遺産の近くだとか、個人が、自己の存在の記録を残したい好きな場所や思い入れのある場所に持ち運び、埋蔵することが困難であるという問題があった。
【００１６】
そこで、本考案は、このような従来の技術の有する未解決の課題に着目してなされたものであって、個人の存在の記録を半永久的に保存することができるとともに、好きな場所や思い入れのある場所に簡単に埋蔵することができる物品保存容器を提供することを目的としている。
【課題を解決するための手段】
【００１７】
上記目的を達成するために、本考案に係る物品保存容器は、個人の存在の記録に係る物品を保存する物品保存容器であって、あらゆる天災地変に耐え、経年劣化のない耐久性および強度が高い材質からなる携帯可能な箱体と、前記箱体の内部に形成されかつ前記箱体の表面に開口する、前記物品を収納可能なポケットと、前記ポケットの開口部を封鎖する封鎖手段とを備える。
【００１８】
ここで、個人の存在の記録に係る物品としては、例えば、個人の生体組織体または個人データを記録した記録物が含まれる。また、耐久性が高い材質としては、例えば、耐蝕性、耐熱性または耐候性が高い材質が含まれる。
【考案の効果】
【００１９】
以上説明したように、本考案に係る物品保存容器によれば、あらゆる天災地変に耐え、経年劣化のない耐久性および強度が高い材質からなる箱体で構成されているので、個人の存在の記録を半永久的に保存することができるという効果が得られる。また、携帯可能な箱体で構成されているので、好きな場所や思い入れのある場所に簡単に持ち運び、埋蔵することができるという効果が得られる。さらに、ポケットに物品を収納し、封鎖手段でポケットの開口部を封鎖するだけでよいので、物品の収納および封鎖が容易であるという効果が得られる。
【図面の簡単な説明】
【００２０】
【図１】物品保存容器１００の斜視図である。
【図２】図１中のＡ−Ａ’線に沿った断面図である。
【図３】物品保存容器１００の使用状態を示す図である。
【図４】物品保存容器１００の斜視図である。
【図５】物品保存容器１００の断面図である。
【図６】物品保存容器１００の使用状態を示す図である。
【考案を実施するための形態】
【００２１】
〔第１の実施の形態〕
以下、本考案の第１の実施の形態を図面を参照しながら説明する。図１ないし図３は、本考案に係る物品保存容器の第１の実施の形態を示す図である。
【００２２】
まず、本実施の形態に係る物品保存容器１００の構成を説明する。
図１は、物品保存容器１００の斜視図である。
【００２３】
図２は、図１中のＡ−Ａ’線に沿った断面図である。
図３は、物品保存容器１００の使用状態を示す図である。
【００２４】
物品保存容器１００は、図１ないし図３に示すように、箱体１０から構成されている。
箱体１０は、携帯可能な小型サイズとなっており、例えば、幅１０７[mm]、高さ９０[mm]、奥行き２７[mm]の寸法となっている。箱体１０は、あらゆる天災地変に耐え、経年劣化のない耐久性および強度が高い材質からなっている。具体的には、耐蝕性に優れた耐蝕合金からなっている。耐蝕合金としては、例えば、チタニウム合金、ステンレス、ニッケル合金、コバルト合金または鉛合金を採用することができる。このうちチタニウム合金および特殊ステンレスは、耐蝕性、耐熱性および耐候性に優れているので好ましい。
【００２５】
物品保存容器１００は、さらに、ガラス容器１２を収納可能なポケット１４を有して構成されている。
【００２６】
ポケット１４は、箱体１０の内部に円筒状に形成されている。ポケット１４の一端は、箱体１０の側面に開口し、他端は、箱体１０の内壁で閉塞されている。ポケット１４は、ガラス容器１２が収納可能となるようにガラス容器１２の外径よりも若干大きな内径を有している。ガラス容器１２は、長期保存に優れたガラス製となっている。ガラス容器１２には、個人の生体組織体（例えば、ＤＮＡ）が収納され、コルク等の栓により密封されている。
【００２７】
ポケット１４の内周には、ボルト１６の雄ねじと螺合する雌ねじ１８が形成されている。ガラス容器１２をポケット１４内に収納した後、ボルト１６を雌ねじ１８に螺合すれば、ガラス容器１２をポケット１４内に密封することができる。また、ボルト１６は、ヘッドの上端部（ねじ回し用の溝部を含む。）を切り取ることができる。そのため、ガラス容器１２を密封した後にヘッドの上端部を切り取れば、ポケット１４の開口部２０を再度開放不能に封鎖することができる。
【００２８】
物品保存容器１００は、さらに、ガラス容器２２を収納可能なポケット２４を有して構成されている。
【００２９】
ポケット２４は、箱体１０の内部に円筒状に形成されている。ポケット２４の一端は、箱体１０の側面であってポケット１４の開口部２０の下方に開口し、他端は、箱体１０の内壁で閉塞されている。ポケット２４は、ガラス容器２２が収納可能となるようにガラス容器２２の外径よりも若干大きな内径を有している。ガラス容器２２は、長期保存に優れたガラス製となっている。ガラス容器２２には、個人の記念品その他の所有物（例えば、思い出の品）が収納され、コルク等の栓により密封されている。
【００３０】
ポケット２４の内周には、ボルト２６の雄ねじと螺合する雌ねじ２８が形成されている。ガラス容器２２をポケット２４内に収納した後、ボルト２６を雌ねじ２８に螺合すれば、ガラス容器２２をポケット２４内に密封することができる。また、ボルト２６は、ヘッドの上端部（ねじ回し用の溝部を含む。）を切り取ることができる。そのため、ガラス容器２２を密封した後にヘッドの上端部を切り取れば、ポケット２４の開口部３０を再度開放不能に封鎖することができる。
【００３１】
物品保存容器１００は、さらに、プレート３２を収納可能なポケット３４を有して構成されている。
【００３２】
ポケット３４は、箱体１０の内部に横長矩形状に形成されている。ポケット３４の一端は、箱体１０の上面に開口し、他端は、箱体１０の内壁で閉塞されている。ポケット３４は、プレート３２が収納可能となるようにプレート３２の幅および高さよりも若干大きな幅および高さを有している。プレート３２には、個人データとして、例えば、氏名、生年月日、住所、顔写真、性別、血液型が刻印されている。
【００３３】
箱体１０の正面およびプレート３２には、ボルト３６を貫通するための貫通穴３８、４０が形成されている。一方、箱体１０の内部であって貫通穴３８に対向する位置には、ボルト３６と螺合する雌ねじ（不図示）が形成されている。プレート３２をポケット３４内に収納した後、ボルト３６を貫通穴３８、４０に貫通させ雌ねじに螺合すれば、プレート３２をポケット３４内に固定することができる。ボルト３６は、ヘッドの上端部（ねじ回し用の溝部を含む。）を切り取ることができる。そのため、プレート３２を固定した後にヘッドの上端部を切り取れば、ポケット３４の開口部４２からプレート３２を取出不能に封鎖することができる。
【００３４】
次に、本実施の形態の動作を説明する。
まず、個人の生体組織体を箱体１０に収納する場合は、生体組織体をガラス容器１２に密封し、そのガラス容器１２を開口部２０からポケット１４に挿入し、ガラス容器１２をポケット１４内に収納する。そして、ボルト１６を雌ねじ１８に螺合することにより、ガラス容器１２をポケット１４内に密封する。その後、ボルト１６のヘッドの上端部をニッパ等の工具で切り取ることにより、ポケット１４の開口部２０を再度開放不能に封鎖する。
【００３５】
次に、個人の所有物を箱体１０に収納する場合は、所有物をガラス容器２２に密封し、そのガラス容器２２を開口部３０からポケット２４に挿入し、ガラス容器２２をポケット２４内に収納する。そして、ボルト２６を雌ねじ２８に螺合することにより、ガラス容器２２をポケット２４内に密封する。その後、ボルト２６のヘッドの上端部をニッパ等の工具で切り取ることにより、ポケット２４の開口部３０を再度開放不能に封鎖する。
【００３６】
次に、プレート３２を箱体１０に収納する場合は、個人データをプレート３２に刻印し、そのプレート３２を開口部４２からポケット３４に挿入し、プレート３２をポケット３４内に収納する。そして、ボルト３６を貫通穴３８、４０に貫通させ雌ねじに螺合することにより、プレート３２をポケット３４内に固定する。その後、ボルト３６のヘッドの上端部をニッパ等の工具で切り取ることにより、ポケット３４の開口部４２からプレート３２を取出不能に封鎖する。
【００３７】
そして、物品保存容器１００の所有者は、ガラス容器１２、２２およびプレート３２を収納した物品保存容器１００を好きな場所や思い入れのある場所に持ち運び、埋蔵する。これにより、好きな場所や思い入れのある場所において個人の存在の記録を半永久的に保存することができる。
【００３８】
このようにして、本実施の形態では、物品保存容器１００は、あらゆる天災地変に耐え、経年劣化のない耐久性および強度が高い材質からなる携帯可能な箱体１０と、箱体１０の内部に形成されかつ箱体１０の側面に開口し、個人の生体組織体および所有物を収納可能なポケット１４、２４と、ポケット１４、２４の開口部２０、３０を封鎖するボルト１６、２６とを備える。
【００３９】
これにより、個人の存在の記録を半永久的に保存することができる。また、好きな場所や思い入れのある場所に簡単に持ち運び、埋蔵することができる。したがって、個人の意識に変化をもたらすことができるので、新しい意識のニーズに応えることができる。さらに、ポケット１４、２４に生体組織体および所有物を収納し、ボルト１６、２６でポケット１４、２４の開口部２０、３０を封鎖するだけでよいので、生体組織体および所有物の収納および封鎖が容易である。
【００４０】
さらに、従来は、区画された一定の土地に墓石を立てて故人を祀る「墓地」という既成概念が存在していたが、そのような従来の意識が変化すれば、物品保存容器１００をお墓の代わりに用いることが考えられる。例えば、好きな場所や思い入れのある場所に物品保存容器１００を埋葬し、故人を祀ることができる。そうなれば、墓地用地の削減に寄与することができる。
【００４１】
さらに、本実施の形態では、箱体１０は、耐蝕合金からなる。
これにより、天災地変に耐え、経年劣化も少なく、個人の存在の記録を半永久的に保存することができる。
【００４２】
さらに、本実施の形態では、ボルト１６、２６のヘッドの上端部を切り取ることにより、ポケット１４、２４の開口部２０、３０を再度開放不能に封鎖する。
【００４３】
これにより、物品保存容器１００を埋蔵した後に、第三者によって中身が取り出されてしまうことを防止することができる。
【００４４】
さらに、本実施の形態では、箱体１０の内部に形成されかつ箱体１０の表面に開口し、個人データを記録したプレート３２を収納可能なポケット３４を備える。
【００４５】
これにより、個人の存在の記録として個人データを半永久的に保存することができる。また、ポケット３４にプレート３２を収納するだけでよいので、プレート３２の収納が容易である。
【００４６】
本実施の形態において、ボルト１６、２６は、考案１の封鎖手段に対応し、プレート３２は、考案３の記録物に対応し、ポケット３４は、考案３の第２ポケットに対応している。
【００４７】
〔第２の実施の形態〕
次に、本考案の第２の実施の形態を図面を参照しながら説明する。図４ないし図６は、本考案に係る物品保存容器の第２の実施の形態を示す図である。
【００４８】
本実施の形態は、第１の実施の形態に対して、ポケット３４を形成せず、プレート３２を箱体１０の正面に固定する点が異なる。なお、以下、第１の実施の形態と異なる部分についてのみ説明し、重複する部分については同一の符号を付して説明を省略する。
【００４９】
まず、本実施の形態に係る物品保存容器１００の構成を説明する。
図４は、物品保存容器１００の斜視図である。
【００５０】
図５は、物品保存容器１００の断面図である。図５（ａ）は、図４中のＢ−Ｂ’線に沿った断面図であり、図５（ｂ）は、図４中のＣ−Ｃ’線に沿った断面図である。
【００５１】
図６は、物品保存容器１００の使用状態を示す図である。
箱体１０の正面には、図４ないし図６に示すように、プレート３２を収納する凹部４４が形成されている。凹部４４は、プレート３２が収納可能となるようにプレート３２の幅および高さよりも若干大きな幅および高さを有している。
【００５２】
凹部４４の底面には、ＵＳＢメモリ等の記録媒体４８を収納する凹部４６が形成されている。凹部４６は、凹部４４の幅および高さよりも小さいが、記録媒体４８が収納可能となるように記録媒体４８の幅および高さよりも若干大きな幅および高さを有している。
【００５３】
プレート３２の正面の左上、上中央、右上、左下、下中央および右下には、ボルト３６を貫通するための貫通穴４０がそれぞれ形成されている。一方、凹部４４の底面であって、プレート３２を嵌め込んだ場合に各貫通穴４０に対向する位置には、ボルト３６と螺合する雌ねじ５０が形成されている。プレート３２を凹部４４に嵌め込んだ後、ボルト３６を貫通穴４０に貫通させ雌ねじ５０に螺合すれば、プレート３２を凹部４４内に固定することができる。ボルト３６は、ヘッドの上端部（ねじ回し用の溝部を含む。）を切り取ることができる。そのため、プレート３２を固定した後にヘッドの上端部を切り取れば、プレート３２を凹部４４から取出不能に固定することができる。
【００５４】
箱体１０の正面の右下には、箱体１０を奥行き方向に貫通する貫通穴５２が形成されている。複数の物品保存容器１００を奥行き方向に重ね、貫通穴５２に長ボルトを貫通させナットに螺合すれば、複数の物品保存容器１００を連結することができる。これにより、家族や友人等に係る複数の物品保存容器１００をひとまとめにすることができる。
【００５５】
次に、本実施の形態の動作を説明する。
プレート３２および記録媒体４８を箱体１０に収納する場合は、まず、記録媒体４８を凹部４６に嵌め込み、その上に蓋をするかたちでプレート３２を凹部４４に嵌め込む。そして、ボルト３６を貫通穴４０に貫通させ雌ねじ５０に螺合することにより、プレート３２を凹部４４内に固定する。その後、ボルト３６のヘッドの上端部をニッパ等の工具で切り取ることにより、プレート３２を凹部４４から取出不能に固定する。
【００５６】
なお、個人の生体組織体を箱体１０に収納する場合、個人の所有物を箱体１０に収納する場合、および物品保存容器１００を埋蔵する場合は、第１の実施の形態と同様であるので説明を省略する。
【００５７】
このようにして、本実施の形態では、箱体１０の正面に凹部４４を形成し、ボルト３６によりプレート３２を凹部４４内に固定した。
【００５８】
これにより、個人の存在の記録として個人データを半永久的に保存することができる。また、ボルト３６によりプレート３２を箱体１０の正面に固定するだけでよいので、プレート３２の設置が容易である。
【００５９】
さらに、本実施の形態では、凹部４４の底面に凹部４６を形成し、記録媒体４８を凹部４６に嵌め込み、その上にプレート３２で蓋をすることにより記録媒体４８を凹部４６内に収納した。
【００６０】
これにより、個人の存在の記録として個人データを半永久的に保存することができる。また、プレート３２で蓋をすることにより記録媒体４８を凹部４６内に収納するだけでよいので、記録媒体４８の設置が容易である。
【００６１】
さらに、本実施の形態では、箱体１０を奥行き方向に貫通する貫通穴５２を箱体１０の正面に形成した。
【００６２】
これにより、家族や友人等に係る複数の物品保存容器１００をひとまとめにすることができる。
【００６３】
本実施の形態において、ボルト１６、２６は、考案１の封鎖手段に対応している。
なお、第１および第２の実施の形態においては、本考案を物品保存容器１００に適用したが、これに限らず、本考案の主旨を逸脱しない範囲で他の場合にも適用可能である。
【符号の説明】
【００６４】
１０…箱体、  １２、２２…ガラス容器、  １４、２４、３４…ポケット、  １６、２６、３６…ボルト、  １８、２８…雌ねじ、  ２０、３０、４２…開口部、  ３２…プレート、  ３８、４０、５２…貫通穴、  ４４、４６…凹部、  ４８…記録媒体、  ５０…雌ねじ
【図１】
0003157577.tif 000003
【図２】
0003157577.tif 000004
【図３】
0003157577.tif 000005
【図４】
0003157577.tif 000006
【図５】
0003157577.tif 000007
【図６】
0003157577.tif 000008
【手続補正書】
【提出日】平成21年12月2日(2009.12.2)
【手続補正１】
【補正対象書類名】実用新案登録請求の範囲
【補正対象項目名】請求項１
【補正方法】変更
【補正の内容】
【請求項１】
個人の存在の記録に係る物品を保存する物品保存容器であって、
耐久性および強度が高い材質からなる携帯可能な箱体と、
前記箱体の内部に形成されかつ前記箱体の表面に開口する、前記物品を収納可能なポケットと、
前記ポケットの開口部を封鎖する封鎖手段とを備えることを特徴とする物品保存容器。
【手続補正２】
【補正対象書類名】図面
【補正対象項目名】図３
【補正方法】変更
【補正の内容】
【図３】
0003157577.tif 000009
【手続補正３】
【補正対象書類名】図面
【補正対象項目名】図４
【補正方法】変更
【補正の内容】
【図４】
0003157577.tif 000010
【手続補正４】
【補正対象書類名】図面
【補正対象項目名】図６
【補正方法】変更
【補正の内容】
【図６】
0003157577.tif 000011